(57)【要約】  遮断器は、回転可能に支持されるアクチュエータ（３３）を有し、アクチュエータ（３３）の回転によって内部の接点間の状態が変化する付属スイッチ（３）と、付属スイッチ（３）が取り付けられ、アクチュエータ（３３）へ向かう方向に延伸するスリット（９３）が形成される取付部（９）と、スリット（９３）に挿入される突起部（７１１）が形成され、スリット（９３）に沿って移動してアクチュエータ（３３）を押すことによってアクチュエータ（３３）を回転させるスライダー（７）と、遮断器本体の投入動作に伴って回転してスライダーを押す回転板（６）と、を備える。スライダー（７）は、遮断器本体の投入動作に伴って回転する回転板（６）に押されてスリット（９３）に沿って移動し突起部（７１１）がスリット（９３）の端部まで移動した後、回転板（６）にさらに押されて回転する。
2020008640.tif 000002
【特許請求の範囲】
【請求項１】
電路の開閉を行う遮断器本体と、
回転可能に支持されるアクチュエータを有し、前記アクチュエータの回転によって内部の接点間の状態が変化する付属スイッチと、
前記付属スイッチが取り付けられ、前記アクチュエータへ向かう方向に延伸するスリットが形成される取付部と、
前記スリットに挿入される突起部が形成され、前記スリットに沿って移動して前記アクチュエータを押すことによって前記アクチュエータを回転させるスライダーと、
前記遮断器本体の投入動作に伴って回転して前記スライダーを押す回転板と、
前記スライダーと前記取付部との間に架け渡され、前記スライダーを前記アクチュエータから引離す方向に付勢する引きバネと、を備え、
前記スライダーは、
前記投入動作に伴って回転する前記回転板に押されて前記スリットに沿って移動し前記突起部が前記スリットの端部まで移動した後、前記回転板にさらに押されて回転する
ことを特徴とする遮断器。
【請求項２】
前記スライダーは、
前記スリットに挿入される前記突起部と、前記アクチュエータに当接する面が円弧状に形成される当接部とを有するスライダー本体と、
前記回転板の回転方向において前記回転板と対向する位置に前記スライダー本体から突出し、前記回転板に押されるレバーと、を備える
ことを特徴とする請求項１に記載の遮断器。
【請求項３】
前記スライダーは、
絶縁性部材によって形成される
ことを特徴とする請求項１または２に記載の遮断器。
【請求項４】
前記付属スイッチを複数備え、
複数の前記付属スイッチの各々は、
複数の前記付属スイッチの配列方向に凹んだ凹部を有しており、
前記取付部は、
複数の前記付属スイッチが取り付けられる取付枠部と、
前記配列方向に沿って形成される溝と、
前記配列方向に沿って前記溝を摺動し、複数の前記付属スイッチの前記凹部に各々挿入される複数の突起部を有するロック部材と、を備える
ことを特徴とする請求項１から３のいずれか一つに記載の遮断器。
【請求項５】
前記回転板を複数備え、
複数の前記回転板は、
前記付属スイッチの下方に位置し、前記スライダーのうち前記付属スイッチの下方に位置する領域を押す
ことを特徴とする請求項１から４のいずれか一つに記載の遮断器。
【発明の詳細な説明】
【技術分野】
【０００１】
本発明は、電路の開閉を行う遮断器の付属スイッチに関する。
【背景技術】
【０００２】
遮断器には、遮断器本体がオン状態であるかオフ状態であるかを接点出力する付属スイッチを備えるものがある。付属スイッチは、回転可能に支持され、遮断器本体がオフ状態からオン状態へ移行する投入動作時に回転するアクチュエータを有する。付属スイッチは、アクチュエータの回転に伴って内部の接点間の状態が変化する。【０００３】
遮断器本体は、電路を形成する接点同士の確実な接触を確保するため、遮断器本体の投入動作時において開閉機構部のメインシャフトが、遮断器本体のオン位置を超えて回転する。従来の遮断器では、メインシャフトがオン位置を超えて回転すると、付属スイッチにおいて内部の接点間の状態が変化する動作位置を超えてアクチュエータが回転する。そこで、特許文献１に記載の遮断器は、動作位置を超えたアクチュエータの回転力を板バネで吸収する構成を有している。
【先行技術文献】
【特許文献】
【０００４】
【特許文献１】特開２００５―１５８６０８号公報
【発明の概要】
【発明が解決しようとする課題】
【０００５】
しかしながら、上述した従来の遮断器では、付属スイッチにおける接点間の状態が変化する動作位置を超えた回転力を板バネで吸収するため、遮断器本体の投入動作時に必要な力が増加する。上述した板バネの数は付属スイッチの設置数の増加に伴って増加することから、投入動作時に必要な力は付属スイッチの設置数の増加に伴って増加してしまう。【０００６】
本発明は、上記に鑑みてなされたものであって、遮断器本体の投入動作時に必要な力の増加を抑制することができる遮断器を得ることを目的とする。
【課題を解決するための手段】
【０００７】
上述した課題を解決し、目的を達成するために、本発明の遮断器は、電路の開閉を行う遮断器本体と、付属スイッチと、取付部と、スライダーと、回転板と、引きバネとを備える。付属スイッチは、回転可能に支持されるアクチュエータを有し、アクチュエータの回転によって内部の接点間の状態が変化する。取付部は、付属スイッチが取り付けられ、アクチュエータへ向かう方向に延伸するスリットが形成される。スライダーは、スリットに挿入される突起部が形成され、スリットに沿って移動してアクチュエータを押すことによってアクチュエータを回転させる。回転板は、遮断器本体の投入動作に伴って回転してスライダーを押す。引きバネは、スライダーと取付部との間に架け渡され、スライダーをアクチュエータから引離す方向に付勢する。スライダーは、投入動作に伴って回転する回転板に押されてスリットに沿って移動し突起部がスリットの端部まで移動した後、回転板にさらに押されて回転する。
【発明の効果】
【０００８】
本発明によれば、遮断器本体の投入動作時に必要な力の増加を抑制することができる、という効果を奏する。
【図面の簡単な説明】
【０００９】
【図１】本発明の実施の形態１にかかる遮断器の外観斜視図
【図２】実施の形態１にかかる付属カバーを取り外した状態の遮断器の外観斜視図
【図３】実施の形態１にかかる付属スイッチの構成を説明するための図
【図４】実施の形態１にかかる遮断器のオフ状態における内部機構の一部を示す斜視図
【図５】実施の形態１にかかる遮断器のオン状態における内部機構の一部を示す斜視図
【図６】実施の形態１にかかるスライダーの外観斜視図
【図７】実施の形態１にかかる取付部を構成する固定ベースにスライダーを配置した状態を示す図
【図８】実施の形態１にかかるスライダーを配置した状態の固定ベースに取付部を構成する取付枠部を取り付ける様子を示す図
【図９】実施の形態１にかかるスライダーを配置した状態の固定ベースに取付枠部を取り付けた状態を示す図
【図１０】実施の形態１にかかるスライダーを外した状態の取付部の平面図
【図１１】図１０のXI-XI線に沿った断面図
【図１２】図１１に示すスリットの拡大図
【図１３】実施の形態１にかかる遮断器本体がオフ状態である場合の付属スイッチ、回転板、およびスライダーの状態を説明するための図
【図１４】実施の形態１にかかる遮断器本体がオフ状態である場合の付属スイッチ、回転板、およびスライダーの状態を説明するための図
【図１５】実施の形態１にかかる遮断器本体がオフ状態からオン状態への過渡状態である場合の付属スイッチ、回転板、およびスライダーの状態を説明するための図
【図１６】実施の形態１にかかる遮断器本体がオフ状態からオン状態への過渡状態である場合の付属スイッチ、回転板、およびスライダーの状態を説明するための図
【図１７】実施の形態１にかかる遮断器本体がオフ状態からオン状態になった後の回転板によるオーバーラン状態を説明するための図
【図１８】実施の形態１にかかる遮断器本体がオフ状態からオン状態になった後の回転板によるオーバーラン状態を説明するための図
【図１９】実施の形態１にかかる遮断器本体がオン状態である場合の回転板およびスライダーの状態を説明するための図
【図２０】実施の形態１にかかるスライダーに加わる力を説明するための図
【図２１】本発明の実施の形態２にかかる遮断器におけるスライダーと回転板との関係を説明するための図
【図２２】実施の形態２にかかる付属スイッチの固定方法を説明するための図
【発明を実施するための形態】
【００１０】
実施の形態１．
実施の形態１にかかる遮断器は、気中遮断器といった電路を開閉する遮断器であり、過電流および漏電流の少なくとも一方を検出して電路を遮断する。以下においては、説明の便宜上、Ｚ軸正方向を上方とし、Ｚ軸負方向を下方とし、Ｘ軸正方向を右方とし、Ｘ軸負方向を左方とし、Ｙ軸正方向を前方とし、Ｙ軸負方向を後方とする。また、以下において、時計回りおよび反時計回りとは、後述する図面上において時計回りおよび反時計回りであることを意味する。なお、遮断器の構成の一部のみを図示する場合において、前後、上下、および左右の各方向は、遮断器を組み立てた状態での方向である。
【００１１】
図１は、本発明の実施の形態１にかかる遮断器の外観斜視図であり、図２は、実施の形態１にかかる付属カバーを取り外した状態の遮断器の外観斜視図である。図１に示すように、実施の形態１にかかる遮断器１００は、不図示の電路の開閉を行う遮断器本体１と、付属カバー２とを備える。
【００１２】
図２に示すように、遮断器１００は、遮断器本体１の上部に着脱可能に取り付けられる複数の付属スイッチ３１，３２，３３，３４，３５を有する。複数の付属スイッチ３１，３２，３３，３４，３５は互いに別体として構成されている。付属カバー２は、例えば、付属スイッチ３１，３２，３３，３４，３５が遮断器本体１に取り付けられる際または遮断器本体１から取り外される際に、取り外される。以下、複数の付属スイッチ３１，３２，３３，３４，３５を各々区別せずに示す場合、付属スイッチ３と記載する。
【００１３】
付属スイッチ３は、遮断器本体１がオン状態であるかオフ状態であるかを接点出力によって外部に出力する。遮断器本体１がオン状態である場合、電路が閉状態である。遮断器本体１がオフ状態である場合、電路が開状態である。遮断器本体１の投入動作によって、遮断器本体１がオフ状態からオン状態になる。
【００１４】
図３は、実施の形態１にかかる付属スイッチの構成を説明するための図である。図３に示すように、実施の形態１にかかる付属スイッチ３は、マイクロスイッチ３１，３２と、アクチュエータ３３と、板バネ３４，３５と、ケース３６とを備える。ケース３６には、右方向に凹んだ凹部３６１が形成される。
【００１５】
付属スイッチ３のケース３６内には、マイクロスイッチ３１，３２、アクチュエータ３３の一部、および板バネ３４，３５が配置されている。かかるケース３６は、複数の付属スイッチ３間で共通の構成を有しており、複数の付属スイッチ３間で互いに大きさが異なるマイクロスイッチ３１，３２を収納することができる。このように、各付属スイッチ３は単一種類のケースによってカセット化されて構成されている。なお、図３などにおいては、アクチュエータ３３のうちケース３６内に配置される部分を含む全体を実線で示している。
【００１６】
マイクロスイッチ３１は、上下方向に移動可能な可動突起３１１を有する。マイクロスイッチ３１は、可動突起３１１が上方に押されると、内部の接点間の状態が変化する。例えば、可動突起３１１が押されると、マイクロスイッチ３１の内部の接点間が非接触状態から接触状態に変化する。これにより、マイクロスイッチ３１は、遮断器本体１がオン状態であることを電気的に接点出力する。
【００１７】
マイクロスイッチ３２は、上下方向に移動可能な可動突起３２１を有する。マイクロスイッチ３２は、可動突起３２１が下方に押されると、内部の接点間の状態が変化する。例えば、可動突起３２１が押されると、マイクロスイッチ３２の内部の接点間が非接触状態から接触状態に変化する。これにより、マイクロスイッチ３２は、遮断器本体１がオン状態であることを接点出力する。なお、マイクロスイッチ３１，３２のうち一方または両方は、可動突起３１１，３２１が押されると、内部の接点間が接触状態から非接触状態に変化する構成であってもよい。
【００１８】
アクチュエータ３３は、付属スイッチ３のケース３６に回転可能に支持された軸部３３１と、中央部が軸部３３１に固定され、前後方向に沿って延伸する第１延伸部３３２と、基端部３３３ａが第１延伸部３３２の一端部３３２ａ側に固定され第１延伸部３３２の延伸方向と直交する方向に沿って延伸する第２延伸部３３３とを備える。かかるアクチュエータ３３は、樹脂などの絶縁性部材によって形成される。
【００１９】
板バネ３４は、アクチュエータ３３における第１延伸部３３２とマイクロスイッチ３１の可動突起３１１との間に配置される。かかる板バネ３４は、マイクロスイッチ３１に基端部３４１が片持ち支持され、第１延伸部３３２の一端部３３２ａがマイクロスイッチ３１へ向かう方向へ移動した場合に、先端部３４２が一端部３３２ａに押される。これにより、板バネ３４の先端部３４２がマイクロスイッチ３１に向けて移動し、板バネ３４の中央部３４３が可動突起３１１を押す。
【００２０】
板バネ３５は、アクチュエータ３３における第１延伸部３３２とマイクロスイッチ３２の可動突起３２１との間に配置される。かかる板バネ３５は、マイクロスイッチ３２に基端部３５１が片持ち支持され、第１延伸部３３２の他端部３３２ｂがマイクロスイッチ３２へ向かう方向へ移動した場合に、先端部３５２が他端部３３２ｂに押される。これにより、板バネ３５の先端部３５２がマイクロスイッチ３２に向けて移動し、板バネ３５の中央部３５３が可動突起３２１を押す。
【００２１】
なお、図３に示す例では、付属スイッチ３は、板バネ３４，３５を有する構成であるが、板バネ３４，３５を設けない構成であってもよい。この場合、付属スイッチ３の可動突起３１１，３２１は、例えば、アクチュエータ３３の第１延伸部３３２に直接押される位置に配置される。
【００２２】
図４は、実施の形態１にかかる遮断器のオフ状態における内部機構の一部を示す斜視図であり、図５は、実施の形態１にかかる遮断器のオン状態における内部機構の一部を示す斜視図である。
【００２３】
図４および図５に示すように、実施の形態１にかかる遮断器１００の遮断器本体１は、可動接点および固定接点を含む不図示の通電部と、可動接点と固定接点とが接触した状態と離れた状態との切り替えを行う開閉機構部４とを備える。
【００２４】
開閉機構部４には、メインシャフト５が含まれる。開閉機構部４は、遮断器本体１の投入操作が行われると、メインシャフト５を図４に示す矢印Ａの方向へ回転させる駆動力を発生する。かかる駆動力によりメインシャフト５が矢印Ａの方向へ回転すると遮断器本体１の不図示の通電部において可動接点と固定接点とが接触し、遮断器本体１がオン状態となる。遮断器本体１がオン状態となることで、不図示の電路が閉状態になる。
【００２５】
また、遮断器１００は、メインシャフト５に固定された回転板６と、回転板６によって移動されるスライダー７と、遮断器本体１の上部に配置された取付部９とを備える。取付部９に付属スイッチ３１，３２，３３，３４，３５が着脱可能に取り付けられる。また、取付部９は、図５に示すように、固定ベース９１と取付枠部９２とを備えており、スライダー７をスライド可能に保持する。
【００２６】
メインシャフト５が図４に示す矢印Ａの方向へ回転する際に、メインシャフト５に固定された回転板６も同様に矢印Ａの方向へ回転する。回転板６は、矢印Ａの方向へ回転する際に、取付部９にスライド可能に保持されたスライダー７を押す。これにより、スライダー７が図４に示す矢印Ｂの方向へ移動する。以下、スライダー７および取付部９の構成を具体的に説明する。
【００２７】
図６は、実施の形態１にかかるスライダーの外観斜視図である。図６に示すように、実施の形態１にかかるスライダー７は、左右方向に延伸するスライダー本体７１と、スライダー本体７１の下方に配置され、回転板６に押される左右一対のレバー７２とを備える。
【００２８】
スライダー本体７１は、取付部９に長穴状に形成された後述するスリット９３にスライド可能に挿入される左右一対の円柱状の突起部７１１と、付属スイッチ３のアクチュエータ３３に当接する当接部７１２とを有する。一対の突起部７１１の外周面は、中心軸が同軸である。当接部７１２は、突起部７１１の中心軸を中心とした円弧状の面を有しており、かかる円弧状の面がアクチュエータ３３に当接する。
【００２９】
レバー７２は、スライダー本体７１の下端部に連続する本体部７２１と、本体部７２１から左方または右方へ突出する突出片７２２とを有する。
【００３０】
図７は、実施の形態１にかかる取付部を構成する固定ベースにスライダーを配置した状態を示す図である。図８は、実施の形態１にかかるスライダーを配置した状態の固定ベースに取付部を構成する取付枠部を取り付ける様子を示す図である。図９は、実施の形態１にかかるスライダーを配置した状態の固定ベースに取付枠部を取り付けた状態を示す図である。
【００３１】
図７に示すように、スライダー７は、図５に示す取付部９を構成する固定ベース９１に配置される。具体的には、固定ベース９１には、開口部９１１が設けられている。スライダー７は、固定ベース９１の開口部９１１に下方から挿入された後、前方に移動されることで、図７に示すように、固定ベース９１に配置される。図７に示す状態では、スライダー７の突起部７１１は、固定ベース９１に形成される溝部９１２に載置される。
【００３２】
次に、図８に示すように、スライダー７を配置した状態の固定ベース９１に上方から取付枠部９２を取り付けることで、取付部９は、図９に示す組み立て状態になる。図９に示す状態において、スライダー７が取付部９にスライド可能に取り付けられる。
【００３３】
図１０は、実施の形態１にかかるスライダーを外した状態の取付部の平面図であり、図１１は、図１０のXI-XI線に沿った断面図である。図１２は、図１１に示すスリットの拡大図である。
【００３４】
図１１および図１２に示すように、取付枠部９２には溝部９２１が形成されている。固定ベース９１の溝部９１２と取付枠部９２の溝部９２１とによって、突起部７１１が挿入されるスリット９３が形成される。かかるスリット９３内をスライダー７の突起部７１１が移動することで、スライダー７が前後方向にスライドすることができる。突起部７１１は、前方の端部９３１から後方の端部９３２までの範囲Ｒを移動可能である。なお、スリット９３は、溝部９１２と溝部９２１とによって形成されるため、取付部９は組み立て易い構成になっている。
【００３５】
次に、遮断器本体１の投入操作が行われた場合の付属スイッチ３、回転板６、およびスライダー７の動作について図１３から図２０を参照して説明する。図１３および図１４は、実施の形態１にかかる遮断器本体がオフ状態である場合の付属スイッチ、回転板、およびスライダーの状態を説明するための図である。図１５および図１６は、実施の形態１にかかる遮断器本体がオフ状態からオン状態への過渡状態である場合の付属スイッチ、回転板、およびスライダーの状態を説明するための図である。図１７および図１８は、実施の形態１にかかる遮断器本体がオフ状態からオン状態になった後の回転板によるオーバーラン状態を説明するための図である。図１９は、実施の形態１にかかる遮断器本体がオン状態である場合の回転板およびスライダーの状態を説明するための図である。図２０は、実施の形態１にかかるスライダーに加わる力を説明するための図である。
【００３６】
図１３に示すように、スライダー本体７１の左右の両端に設けられた突起部７１１は、取付部９におけるスリット９３を形成する面によって前後方向に移動可能に保持されている。かかるスリット９３は、アクチュエータ３３へ向かう方向に延伸している。引きバネ８は、スライダー７と取付部９との間に架け渡され、スライダー７をアクチュエータ３３から引離す方向に付勢する。図１３および図１４に示すように、遮断器本体１がオフ状態である場合、スライダー７のレバー７２は、引きバネ８によって前方に引っ張られている。図１３に示すように、スライダー本体７１の左右の突起部７１１はスリット９３の前方の端部９３１に当接した状態になっている。
【００３７】
遮断器本体１がオフ状態である場合、付属スイッチ３のアクチュエータ３３には遮断器本体１からの駆動力は働いていない。したがって、付属スイッチ３のマイクロスイッチ３１，３２に取り付けられている板バネ３４，３５によってアクチュエータ３３が保持されており、可動突起３１１，３２１が押されていない状態を維持する。そのため、マイクロスイッチ３１，３２は、遮断器本体１がオフ状態であることを接点出力する。
【００３８】
遮断器本体１の投入操作が行われると、メインシャフト５に固定された回転板６が図１３に示す矢印Ｃの方向である時計方向に回転する。そのため、図１５および図１６に示すように、スライダー７のレバー７２は、回転板６の突出部６１によって後方に押される。そのため、スライダー７は、引きバネ８の張力に逆らいながら後方に移動する。
【００３９】
スライダー本体７１の突起部７１１は、前後方向に移動可能にスリット９３に配置されている。そのため、回転板６の突出部６１によってレバー７２が後方に押されることで、図１３に示す状態から図１５に示す状態へ移行し、突起部７１１がスリット９３に沿って後方向に移動する。
【００４０】
図１６に示すように、回転板６の突出部６１によってレバー７２の突出片７２２が後方に押されることで、スライダー７の当接部７１２が、アクチュエータ３３の第２延伸部３３３の先端部３３３ｂを押す。そのため、アクチュエータ３３が軸部３３１を中心に矢印Ｄに示す方向である反時計回りに回転する。スリット９３を後方に移動する突起部７１１は、図１５に示すスリット９３の後方の端部９３２まで移動すると、かかる端部９３２によって後方への移動が規制される。そのため、スライダー本体７１の後方への移動が規制される。
【００４１】
スライダー本体７１が後方への移動が規制される位置にある状態において、遮断器本体１はオン状態であり、また、アクチュエータ３３は、板バネ３４，３５を介してマイクロスイッチ３１，３２の可動突起３１１，３２１を押し込んでいる状態である。すなわち、スライダー本体７１が後方への移動が規制される位置にある状態において、マイクロスイッチ３１，３２のアクチュエータ３３は、内部の接点間の状態が変化する動作位置にある。そのため、マイクロスイッチ３１，３２は、遮断器本体１がオン状態であることを接点出力する。
【００４２】
回転板６は、遮断器本体１の通電部の構造上、一時的に、図１７および図１８に示すように、遮断器本体１のオン状態の位置であるオン位置よりもさらに時計方向へ回転し、遮断器本体１の不図示の導通部における可動接点と固定接点との接触動作が完了した後、反時計方向へ回転して図１９に示すオン位置になって遮断器本体１の投入動作が完了する。
【００４３】
回転板６が遮断器本体１のオン位置よりもさらに時計方向へ回転する場合に、アクチュエータ３３が軸部３３１を中心にさらに反時計回りに回転すると、マイクロスイッチ３１，３２、アクチュエータ３３などに過度な駆動力が加わる可能性がある。マイクロスイッチ３１，３２およびアクチュエータ３３に過度な駆動力が加わると、マイクロスイッチ３１，３２およびアクチュエータ３３が破損してしまう可能性がある。
【００４４】
そこで、遮断器１００は、遮断器本体１がオン状態になる位置で、スリット９３の端部９３２を形成する面によって突起部７１１の後方への移動を規制しつつも、図１７および図１８に示すように、スリット９３の端部９３２を形成する面によって突起部７１１を回転可能に保持する構成を有している。
【００４５】
図２０に示すように、回転板６の突出部６１で押されている状態のスライダー７のレバー７２には、スライダー７の突起部７１１がスリット９３の端部９３２に移動した状態において、引きバネ８の張力Ｆ１と回転板６の駆動力Ｆ２を合成した力Ｆ３がレバー７２に働く。かかる力Ｆ３は、突起部７１１を中心に矢印Ｅに示す方向へスライダー７を回転させる力となるように力線をとるため、スライダー７は矢印Ｅに示す方向へ回転する。
【００４６】
また、引きバネ８は、スライダー７がスリット９３に沿って移動する方向である前後方向に対して力線が上方に傾くように取付部９とスライダー７との間に架け渡されるため、スライダー７の回転を抑制することができる。そのため、遮断器１００に振動などが加わった場合において、異音およびチャタリングなどを抑止することができる。
【００４７】
また、スライダー７とアクチュエータ３３とが当接するスライダー７の当接部７１２は円弧状の面を有している。そのため、突起部７１１がスリット９３の端部９３２まできたスライダー７が回転する際に、アクチュエータ３３が回転することを防止することができ、アクチュエータ３３に余分な力が働くことを防止することができる。これにより、例えば、回転板６の突出部６１でアクチュエータ３３の第２延伸部３３３を直接押す場合に比べ、マイクロスイッチ３１，３２およびアクチュエータ３３に過度な駆動力が掛かってしまうことを防止することができる。
【００４８】
以上のように、実施の形態１にかかる遮断器１００は、電路の開閉を行う遮断器本体１と、回転可能に支持されるアクチュエータ３３を有し、アクチュエータ３３の回転によって内部の接点間の状態が変化する付属スイッチ３と、付属スイッチ３が取り付けられ、アクチュエータ３３へ向かう方向に延伸するスリット９３が形成される取付部９とを備える。さらに、遮断器１００は、スリット９３に挿入される突起部７１１が形成され、スリット９３に沿って移動してアクチュエータ３３を押すことによってアクチュエータ３３を回転させるスライダー７と、遮断器本体１の投入動作に伴って回転してスライダー７を押す回転板６と、スライダー７と取付部９との間に架け渡され、スライダー７をアクチュエータ３３から引離す方向に付勢する引きバネ８とを備える。そして、スライダー７は、遮断器本体１の投入動作に伴って回転する回転板６に押されてスリット９３に沿って移動し突起部７１１がスリット９３の後方の端部９３２まで移動した後、回転板６にさらに押されて回転する。これにより、遮断器本体１の投入動作時に必要な力の増加を抑制することができる。例えば、アクチュエータ３３が付属スイッチ３における内部の接点状態が変化する動作位置を超えた場合に、アクチュエータ３３を回転させる力が加わることを抑制でき、これにより、遮断器本体１の投入動作時に必要な力の増加を抑制することができる。また、マイクロスイッチ３１，３２およびアクチュエータ３３に過度な駆動力が掛かってしまうことを防止することができる。
【００４９】
また、スライダー７は、スリット９３に挿入される突起部７１１と、アクチュエータ３３に当接する面が円弧状に形成される当接部７１２とを有するスライダー本体７１と、回転板６の回転方向において回転板６と対向する位置にスライダー本体７１から突出し、回転板６に押されるレバー７２とを備える。これにより、突起部７１１がスリット９３の後方の端部９３２まできたスライダー７が回転する際に、アクチュエータ３３が回転することを抑制することができる。
【００５０】
また、スライダー７は、樹脂などの絶縁性部材によって形成される。これにより、遮断器本体１の不図示の通電部と絶縁を確保することができる。
【００５１】
実施の形態２．
実施の形態２にかかる遮断器は、メインシャフトへの回転板の取付け位置が付属スイッチの下方に設けられる点およびロック部材が設けられる点で、実施の形態１と異なる。以下においては、実施の形態１と同様の機能を有する構成要素については同一符号を付して説明を省略し、実施の形態１の遮断器１００と異なる点を中心に説明する。
【００５２】
図２１は、本発明の実施の形態２にかかる遮断器におけるスライダーと回転板との関係を説明するための図である。図２１に示すように、実施の形態２にかかる遮断器１００Ａにおいて、メインシャフト５には複数の回転板６が取り付けられている。
【００５３】
回転板６は、付属スイッチ３の下方に位置し、スライダー７のレバー７２のうち付属スイッチ３の下方に位置する本体部７２１に作用する。そのため、遮断器１００Ａは、回転板６がレバー７２の突出片７２２に作用する場合に比べ、各付属スイッチ３のアクチュエータ３３を同時に安定して駆動することができ、付属スイッチ３を複数個並べて取付けて駆動する際に信頼性を向上させることができる。
【００５４】
また、スライダー７の長手方向において間隔を空けてメインシャフト５に取り付けられた複数の回転板６がスライダー７に作用するため、付属スイッチ３を複数個並べて取付けて駆動する際の信頼性をさらに向上させることができる。なお、図２１に示す例では、スライダー７のレバー７２に突出片７２２が設けられているが、突出片７２２を設けない構成であってもよい。
【００５５】
図２２は、実施の形態２にかかる付属スイッチの固定方法を説明するための図である。図２２に示すように、実施の形態２にかかる遮断器１００Ａは、複数の付属スイッチ３１，３２，３３，３４，３５を同時に取付部９に固定するためのロック部材４０を有する。
【００５６】
ロック部材４０は、スライド部４１と、複数の突起部４２１，４２２，４２３，４２４，４２５と、操作部４３とを有する。スライド部４１は、複数の付属スイッチ３１，３２，３３，３４，３５の配列方向に沿って延伸し、取付部９の固定ベース９１に形成された溝部９１３を摺動する。
【００５７】
複数の突起部４２１，４２２，４２３，４２４，４２５は、スライド部４１の延伸方向に沿って間隔を空けて配列され、スライド部４１から複数の付属スイッチ３１，３２，３３，３４，３５に向けて各々突出する。
【００５８】
操作部４３は、スライド部４１の端部から上方に向けて延伸している。かかる操作部４３が矢印Ｆで示す方向に移動されることで、スライド部４１が固定ベース９１に形成された溝部９１３を摺動し、複数の突起部４２１，４２２，４２３，４２４，４２５が複数の付属スイッチ３１，３２，３３，３４，３５に形成され且つ矢印Ｆで示す方向に凹んだ凹部３６１に挿入される。
【００５９】
これにより、複数の付属スイッチ３１，３２，３３，３４，３５の移動が規制され、複数の付属スイッチ３１，３２，３３，３４，３５が取付部９に固定される。そのため、複数の付属スイッチ３を一つの操作で一度に固定することができ、複数の付属スイッチ３を取付部９に固定したり、複数の付属スイッチ３を取付部９から取り外したりする際の作業性を向上させることができる。また、複数の付属スイッチ３は、互いに別体として構成されているため、複数の付属スイッチ３のうち一部のみ交換することを容易に行うことができる。したがって、遮断器１００Ａは、複数の付属スイッチを積層して一つのユニットとした場合に比べ、付属スイッチ３の交換が容易になる。
【００６０】
以上のように、実施の形態２にかかる遮断器１００Ａにおいて、複数の付属スイッチ３の各々は、複数の付属スイッチ３の配列方向に凹んだ凹部３６１を有している。取付部９は、複数の付属スイッチ３が取り付けられる取付枠部９２と、付属スイッチ３の配列方向である左右方向に沿って形成される溝部９１３と、溝部９１３を摺動し、複数の付属スイッチ３の凹部３６１に各々挿入される複数の突起部４２１，４２２，４２３，４２４，４２５を有するロック部材４０とを備える。
【００６１】
また、遮断器１００Ａにおいて、複数の回転板６は、付属スイッチ３の下方に位置し、スライダー７のうち付属スイッチ３の下方に位置する領域を押す。これにより、付属スイッチ３を複数個並べて取付けて駆動する際に信頼性を向上させることができる。
【００６２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６３】
１  遮断器本体、２  付属カバー、３，３１，３２，３３，３４，３５  付属スイッチ、４  開閉機構部、５  メインシャフト、６  回転板、７  スライダー、８  引きバネ、９  取付部、３１，３２  マイクロスイッチ、３３  アクチュエータ、３４，３５  板バネ、３６  ケース、４０  ロック部材、４１  スライド部、４２１，４２２，４２３，４２４，４２５，７１１  突起部、４３  操作部、７１  スライダー本体、７２  レバー、９１  固定ベース、９２  取付枠部、９３  スリット、１００，１００Ａ  遮断器、３１１，３２１  可動突起、３３１  軸部、３３２  第１延伸部、３３２ａ  一端部、３３２ｂ  他端部、３３３  第２延伸部、３３３ａ，３４１，３５１  基端部、３３３ｂ，３４２，３５２  先端部、３４３，３５３  中央部、３６１  凹部、７１２  当接部、７２１  本体部、７２２  突出片、９１１  開口部、９１２，９１３，９２１  溝部、９３１，９３２  端部。
【図１】
2020008640.tif 000003
【図２】
2020008640.tif 000004
【図３】
2020008640.tif 000005
【図４】
2020008640.tif 000006
【図５】
2020008640.tif 000007
【図６】
2020008640.tif 000008
【図７】
2020008640.tif 000009
【図８】
2020008640.tif 000010
【図９】
2020008640.tif 000011
【図１０】
2020008640.tif 000012
【図１１】
2020008640.tif 000013
【図１２】
2020008640.tif 000014
【図１３】
2020008640.tif 000015
【図１４】
2020008640.tif 000016
【図１５】
2020008640.tif 000017
【図１６】
2020008640.tif 000018
【図１７】
2020008640.tif 000019
【図１８】
2020008640.tif 000020
【図１９】
2020008640.tif 000021
【図２０】
2020008640.tif 000022
【図２１】
2020008640.tif 000023
【図２２】
2020008640.tif 000024
【国際調査報告】
2020008640.tif 000025
2020008640.tif 000026
2020008640.tif 000027
2020008640.tif 000028